(57)【特許請求の範囲】
【請求項１】
ＵＥは、第１プリコーディング指示情報及び第２プリコーディング指示情報を確定するステップであって、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる前記確定ステップと、
前記ＵＥは、ネットワーク側に前記第１プリコーディング指示情報及び前記第２プリコーディング指示情報を送信するステップとを備え、
前記ＵＥが前記第１プリコーディング指示情報及び前記第２プリコーディング指示情報を確定するステップは、
前記ＵＥは、第１レベルプリコーディングマトリックス集合から１つの第１レベルプリコーディングマトリックスを選出し、かつ、選択した第１レベルプリコーディングマトリックスに対応する第１プリコーディング指示情報を確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
前記ＵＥは、第２レベルプリコーディングマトリックス集合から１つの第２レベルプリコーディングマトリックスを選択し、かつ、選択した第２レベルプリコーディングマトリックスに対応する第２プリコーディング指示情報を確定し、
第２レベルプリコーディングマトリックス集合中の第２レベルプリコーディングマトリックス
【数１】
0006553809.tif 000278
は以下とおりに示され、
【数２】
0006553809.tif 000279
ここで、
【数３】
0006553809.tif 000280
は２つの偏波方向の位相調整因子を示し、
【数４】
0006553809.tif 000281
それぞれは第１レベルプリコーディングマトリックス中の異なる偏波方向上の第
【数５】
0006553809.tif 000282
番目のビームベクトルの振幅値の重みつけ因子を示し、
【数６】
0006553809.tif 000283
は第１レベルプリコーディングマトリックス中のそれぞれの非零サブマトリックスに含まれるビームベクトル数を示し、
【数７】
0006553809.tif 000284
は伝送ストリーム数を示すことを特徴とするプリコーディング指示情報の伝送方法。
【請求項２】
【数８】
0006553809.tif 000285
内のいずれの実数であり、かつ、
【数９】
0006553809.tif 000286
を満たし、
【数１０】
0006553809.tif 000287
それぞれは第１レベルプリコーディングマトリックス中の異なる偏波方向上の第
【数１１】
0006553809.tif 000288
番目のビームベクトルの位相調整因子を示し、
【数１２】
0006553809.tif 000289
内のいずれの値であることを特徴とする請求項１に記載のプリコーディング指示情報の伝送方法。
【請求項３】
前記ＵＥのアンテナポートは２次元アンテナポートであり、第２レベルプリコーディングマトリックス集合中の第２レベルプリコーディングマトリックス
【数１３】
0006553809.tif 000290
は以下とおりに示され、
【数１４】
0006553809.tif 000291
それぞれは第１レベルプリコーディングマトリックス中の異なる偏波方向上の第
【数１５】
0006553809.tif 000292
番目の垂直次元のビームベクトルの振幅値の重みつけ因子を示し、
【数１６】
0006553809.tif 000293
内のいずれの実数であり、かつ、
【数１７】
0006553809.tif 000294
それぞれは第１レベルプリコーディングマトリックス中の異なる偏波方向上の第
【数１８】
0006553809.tif 000295
番目の垂直次元のビームベクトルの位相調整因子を示し、
【数１９】
0006553809.tif 000296
内のいずれの値であり、
【数２０】
0006553809.tif 000297
は垂直次元のビームベクトル数を示しであり、
【数２１】
0006553809.tif 000298
それぞれは第１レベルプリコーディングマトリックス中の異なる偏波方向上の第
【数２２】
0006553809.tif 000299
番目の水平次元のビームベクトルの振幅値の重みつけ因子を示し、
【数２３】
0006553809.tif 000300
内のいずれの実数であり、かつ、
【数２４】
0006553809.tif 000301
それぞれは第１レベルプリコーディングマトリックス中の異なる偏波方向上の第
【数２５】
0006553809.tif 000302
番目の水平次元のビームベクトルの位相調整因子を示し、
【数２６】
0006553809.tif 000303
内のいずれの値であり、
【数２７】
0006553809.tif 000304
は番目の水平次元のビームベクトル数を示し、第１レベルプリコーディングマトリックス中のそれぞれの非零サブマトリックスに含まれるビームベクトル数
【数２８】
0006553809.tif 000305
は伝送ストリーム数を示すことを特徴とする請求項２に記載のプリコーディング指示情報の伝送方法。
【請求項４】
ネットワーク側は、ＵＥにより送信された第１プリコーディング指示情報及び第２プリコーディング指示情報を受信するステップと、
前記ネットワーク側は、前記第１プリコーディング指示情報及び前記第２プリコーディング指示情報により、プリコーディングマトリックスを確定するステップとを備え、
前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられ、
前記ネットワーク側が前記プリコーディングマトリックスを確定するステップは、
前記ネットワーク側は、第１レベルプリコーディングマトリックス集合から、前記第１プリコーディング指示情報に対応する第１レベルプリコーディングマトリックスを確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
前記ネットワーク側は、第２レベルプリコーディングマトリックス集合から、前記第２プリコーディング指示情報に対応する第２レベルプリコーディングマトリックスを確定し、
前記ネットワーク側は、第１レベルプリコーディングマトリックスと第２レベルプリコーディングマトリックスの積を、前記プリコーディングマトリックスとし、
第２レベルプリコーディングマトリックス集合中の第２レベルプリコーディングマトリックス
【数２９】
0006553809.tif 000306
は以下とおりに示され、
【数３０】
0006553809.tif 000307
ここで、
【数３１】
0006553809.tif 000308
は２つの偏波方向の位相調整因子を示し、
【数３２】
0006553809.tif 000309
それぞれは第１レベルプリコーディングマトリックス中の異なる偏波方向上の第
【数３３】
0006553809.tif 000310
番目のビームベクトルの振幅値の重みつけ因子を示し、
【数３４】
0006553809.tif 000311
は第１レベルプリコーディングマトリックス中のそれぞれの非零サブマトリックスに含まれるビームベクトル数を示し、
【数３５】
0006553809.tif 000312
は伝送ストリーム数を示すことを特徴とするプリコーディングマトリックスの確定方法。
【請求項５】
【数３６】
0006553809.tif 000313
内のいずれの実数であり、かつ、
【数３７】
0006553809.tif 000314
それぞれは第１レベルプリコーディングマトリックス中の異なる偏波方向上の第
【数３８】
0006553809.tif 000315
番目のビームベクトルの位相調整因子を示し、
【数３９】
0006553809.tif 000316
内のいずれの値であることを特徴とする請求項４に記載のプリコーディングマトリックスの確定方法。
【請求項６】
前記ＵＥのアンテナポートは２次元アンテナポートであり、第２レベルプリコーディングマトリックス集合中の第２レベルプリコーディングマトリックス
【数４０】
0006553809.tif 000317
は以下とおりに示され、
【数４１】
0006553809.tif 000318
それぞれは第１レベルプリコーディングマトリックス中の異なる偏波方向上の第
【数４２】
0006553809.tif 000319
番目の垂直次元のビームベクトルの振幅値の重みつけ因子を示し、
【数４３】
0006553809.tif 000320
内のいずれの実数であり、かつ、
【数４４】
0006553809.tif 000321
それぞれは第１レベルプリコーディングマトリックス中の異なる偏波方向上の第
【数４５】
0006553809.tif 000322
番目の垂直次元のビームベクトルの位相調整因子を示し、
【数４６】
0006553809.tif 000323
内のいずれの値であり、
【数４７】
0006553809.tif 000324
は垂直次元のビームベクトル数を示しであり、
【数４８】
0006553809.tif 000325
それぞれは第１レベルプリコーディングマトリックス中の異なる偏波方向上の第
【数４９】
0006553809.tif 000326
番目の水平次元のビームベクトルの振幅値の重みつけ因子を示し、
【数５０】
0006553809.tif 000327
内のいずれの実数であり、かつ、
【数５１】
0006553809.tif 000328
それぞれは第１レベルプリコーディングマトリックス中の異なる偏波方向上の第
【数５２】
0006553809.tif 000329
番目の水平次元のビームベクトルの位相調整因子を示し、
【数５３】
0006553809.tif 000330
内のいずれの値であり、
【数５４】
0006553809.tif 000331
は番目の水平次元のビームベクトル数を示し、第１レベルプリコーディングマトリックス中のそれぞれの非零サブマトリックスに含まれるビームベクトル数
【数５５】
0006553809.tif 000332
は伝送ストリーム数を示すことを特徴とする請求項５に記載のプリコーディングマトリックスの確定方法。
【請求項７】
第１プリコーディング指示情報及び第２プリコーディング指示情報を確定するための確定モジュールであって、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる前記確定モジュールと、
ネットワーク側に前記第１プリコーディング指示情報及び前記第２プリコーディング指示情報を送信するための送信モジュールを備え、
前記確定モジュールは、
第１レベルプリコーディングマトリックス集合から、１つの第１レベルプリコーディングマトリックスを選出し、かつ、選択した第１レベルプリコーディングマトリックスに対応する第１プリコーディング指示情報を確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
第２レベルプリコーディングマトリックス集合から１つの第２レベルプリコーディングマトリックスを選出し、かつ、選択した第２レベルプリコーディングマトリックスに対応する第２プリコーディング指示情報を確定し、
第２レベルプリコーディングマトリックス集合中の第２レベルプリコーディングマトリックス
【数５６】
0006553809.tif 000333
は以下とおりに示され、
【数５７】
0006553809.tif 000334
ここで、
【数５８】
0006553809.tif 000335
は２つの偏波方向の位相調整因子を示し、
【数５９】
0006553809.tif 000336
それぞれは第１レベルプリコーディングマトリックス中の異なる偏波方向上の第
【数６０】
0006553809.tif 000337
番目のビームベクトルの振幅値の重みつけ因子を示し、
【数６１】
0006553809.tif 000338
は第１レベルプリコーディングマトリックス中のそれぞれの非零サブマトリックスに含まれるビームベクトル数を示し、
【数６２】
0006553809.tif 000339
は伝送ストリーム数を示すことを特徴とするプリコーディング指示情報の伝送装置。
【請求項８】
【数６３】
0006553809.tif 000340
内のいずれの実数であり、かつ、
【数６４】
0006553809.tif 000341
それぞれは第１レベルプリコーディングマトリックス中の異なる偏波方向上の第
【数６５】
0006553809.tif 000342
番目のビームベクトルの位相調整因子を示し、
【数６６】
0006553809.tif 000343
内のいずれの値であることを特徴とする前記請求項７に記載のプリコーディング指示情報の伝送装置。
【請求項９】
前記装置のアンテナポートは２次元アンテナポートであり、第２レベルプリコーディングマトリックス集合中の第２レベルプリコーディングマトリックス
【数６７】
0006553809.tif 000344
【数６８】
0006553809.tif 000345
【数６９】
0006553809.tif 000346
番目の垂直次元のビームベクトルの振幅値の重みつけ因子を示し、
【数７０】
0006553809.tif 000347
内のいずれの実数であり、かつ、を満たし、
【数７１】
0006553809.tif 000348
それぞれは第１レベルプリコーディングマトリックス中の異なる偏波方向上の第
【数７２】
0006553809.tif 000349
番目の垂直次元のビームベクトルの位相調整因子を示し、
【数７３】
0006553809.tif 000350
内のいずれの値であり、
【数７４】
0006553809.tif 000351
は垂直次元のビームベクトル数を示しであり、
【数７５】
0006553809.tif 000352
それぞれは第１レベルプリコーディングマトリックス中の異なる偏波方向上の第
【数７６】
0006553809.tif 000353
番目の水平次元のビームベクトルの振幅値の重みつけ因子を示し、
【数７７】
0006553809.tif 000354
内のいずれの実数であり、かつ、
【数７８】
0006553809.tif 000355
それぞれは第１レベルプリコーディングマトリックス中の異なる偏波方向上の第
【数７９】
0006553809.tif 000356
番目の水平次元のビームベクトルの位相調整因子を示し、
【数８０】
0006553809.tif 000357
内のいずれの値であり、
【数８１】
0006553809.tif 000358
は番目の水平次元のビームベクトル数を示し、第１レベルプリコーディングマトリックス中のそれぞれの非零サブマトリックスに含まれるビームベクトル数
【数８２】
0006553809.tif 000359
を示し、
【数８３】
0006553809.tif 000360
は伝送ストリーム数を示すことを特徴とする前記請求項８に記載のプリコーディング指示情報の伝送装置。
【請求項１０】
ＵＥにより送信された第１プリコーディング指示情報及び第２プリコーディング指示情報を受信するための受信モジュールと、
前記第１プリコーディング指示情報及び前記第２プリコーディング指示情報により、プリコーディングマトリックスを確定するための処理モジュールとを備え、
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられ、
前記処理モジュールは、
第１レベルプリコーディングマトリックス集合から、前記第１プリコーディング指示情報に対応する第１レベルプリコーディングマトリックスを確定し、ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
第２レベルプリコーディングマトリックス集合から、前記第２プリコーディング指示情報に対応する第２レベルプリコーディングマトリックスを確定し、
第１レベルプリコーディングマトリックスと第２レベルプリコーディングマトリックスの積を、前記プリコーディングマトリックスとし、
第２レベルプリコーディングマトリックス集合中の第２レベルプリコーディングマトリックス
【数８４】
0006553809.tif 000361
は以下とおりに示され、
【数８５】
0006553809.tif 000362
ここで、
【数８６】
0006553809.tif 000363
は２つの偏波方向の位相調整因子を示し、
【数８７】
0006553809.tif 000364
それぞれは第１レベルプリコーディングマトリックス中の異なる偏波方向上の第
【数８８】
0006553809.tif 000365
番目のビームベクトルの振幅値の重みつけ因子を示し、
【数８９】
0006553809.tif 000366
は第１レベルプリコーディングマトリックス中のそれぞれの非零サブマトリックスに含まれるビームベクトル数を示し、
【数９０】
0006553809.tif 000367
は伝送ストリーム数を示すことを特徴とするプリコーディングマトリックスの確定装置。
【請求項１１】
【数９１】
0006553809.tif 000368
内のいずれの実数であり、かつ、
【数９２】
0006553809.tif 000369
それぞれは第１レベルプリコーディングマトリックス中の異なる偏波方向上の第
【数９３】
0006553809.tif 000370
番目のビームベクトルの位相調整因子を示し、
【数９４】
0006553809.tif 000371
内のいずれの値であることを特徴とする請求項１０に記載のプリコーディングマトリックスの確定装置。
【請求項１２】
前記ＵＥのアンテナポートは２次元アンテナポートであり、第２レベルプリコーディングマトリックス集合中の第２レベルプリコーディングマトリックス
【数９５】
0006553809.tif 000372
は以下とおりに示され、
【数９６】
0006553809.tif 000373
それぞれは第１レベルプリコーディングマトリックス中の異なる偏波方向上の第
【数９７】
0006553809.tif 000374
番目の垂直次元のビームベクトルの振幅値の重みつけ因子を示し、
【数９８】
0006553809.tif 000375
内のいずれの実数であり、かつ、
【数９９】
0006553809.tif 000376
それぞれは第１レベルプリコーディングマトリックス中の異なる偏波方向上の第
【数１００】
0006553809.tif 000377
番目の垂直次元のビームベクトルの位相調整因子を示し、
【数１０１】
0006553809.tif 000378
内のいずれの値であり、
【数１０２】
0006553809.tif 000379
は垂直次元のビームベクトル数を示しであり、
【数１０３】
0006553809.tif 000380
それぞれは第１レベルプリコーディングマトリックス中の異なる偏波方向上の第
【数１０４】
0006553809.tif 000381
番目の水平次元のビームベクトルの振幅値の重みつけ因子を示し、
【数１０５】
0006553809.tif 000382
内のいずれの実数であり、かつ、
【数１０６】
0006553809.tif 000383
それぞれは第１レベルプリコーディングマトリックス中の異なる偏波方向上の第
【数１０７】
0006553809.tif 000384
番目の水平次元のビームベクトルの位相調整因子を示し、
【数１０８】
0006553809.tif 000385
内のいずれの値であり、
【数１０９】
0006553809.tif 000386
は番目の水平次元のビームベクトル数を示し、第１レベルプリコーディングマトリックス中のそれぞれの非零サブマトリックスに含まれるビームベクトル数
【数１１０】
0006553809.tif 000387
【数１１１】
0006553809.tif 000388
は伝送ストリーム数を示すことを特徴とする請求項１１に記載のプリコーディングマトリックスの確定装置。
【発明の詳細な説明】
【技術分野】
【０００１】
本発明は通信技術分野に関し、特にコーディング指示情報の伝送及びプリコーディングマトリックス確定の方法と装置に関する。
【背景技術】
【０００２】
目下、ＬＴＥ（Ｌｏｎｇ Ｔｅｒｍ Ｅｖｏｌｕｔｉｏｎ）システムにおいて、プリコーディングのコードブックは、主にＤＦＴ（Ｄｉｓｃｒｅｔｅ Ｆｏｕｒｉｅｒ Ｔｒａｎｓｆｏｒｍ）ベクトルをベースとし、かつ、２レベルコードブック構造を利用したものである。Ｒｅｌ−１２中の８アンテナコードブックの例を挙げれば、第１レベルは、１つのＤ
ＦＴビームベクトルサブグルプを確定し、端末は当該ビームベクトルサブグルプの、全部ビームベクトルサブグルプ集合中のインデックス、即ち、ＰＭＩ（Ｐｒｅｃｏｄｉｎｇ Ｍａｔｒｉｘ Ｉｎｄｉｃａｔｏｒ，プリコーディングマトリックス指示）１をｅＮＢ（ｅｖｏｌｖｅｄ Ｎｏｄｅ Ｂ）にフィードバックする。第１レベルは、当該ＤＦＴビームベクトルサブグルプから１列または複数の列を選出して、偏波方向間の位相を調整する。端末は、上述の列選択及び位相調整の、全部可能の組合せ中のインデックス（即ちＰＭＩ２）をｅＮＢにフィードバックする。ｅＮＢは２レベルフィードバックのＰＭＩ１及びＰＭＩ２により、最終のプリコーディングマトリックスを生成して、ダウンリンクデータ伝送に用いる。
【０００３】
従来のＬＴＥシステムにおいて、ＤＦＴビームベクトルサブグルプと列選択を利用して生成したコードブックには、コードワードの解像度は、定義されたＤＦＴビームベクトルによって決められ、柔軟に調整できず、システムの性能に影響を与える。
【発明の概要】
【発明が解決しようとする課題】
【０００４】
本発明に係る実施例は、コーディング指示情報の伝送及びプリコーディングマトリックス確定の方法と装置を提供し、ＤＦＴビームベクトルサブグルプ及び列選択を利用して生成したコードブックに、コードワードの解像度を柔軟に調整できない問題を解決する。
【課題を解決するための手段】
【０００５】
本発明の実施例に係るコーディング指示情報の伝送方法は、
ＵＥは、第１プリコーディング指示情報及び第２プリコーディング指示情報を確定するステップであって、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる前記確定ステップと、
前記ＵＥは、ネットワーク側に前記第１プリコーディング指示情報及び前記第２プリコーディング指示情報を送信するステップとを備える。
【０００６】
実施の場合、前記ＵＥが前記第１プリコーディング指示情報及び前記第２プリコーディング指示情報を確定するステップは、
前記ＵＥは、第１レベルプリコーディングマトリックス集合から１つの第１レベルプリコーディングマトリックスを選出し、かつ、選択した第１レベルプリコーディングマトリックスに対応する第１プリコーディング指示情報を確定するステップであって、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である前記確定ステップと、
前記ＵＥは、第２レベルプリコーディングマトリックス集合から１つの第２レベルプリコーディングマトリックスを選択し、かつ、選択した第２レベルプリコーディングマトリックスに対応する第２プリコーディング指示情報を確定する。
【０００７】
好ましくは、第２レベルプリコーディングマトリックス集合中の第２レベルプリコーディングマトリックス
【数１】
0006553809.tif 000002
ここで、
【数２】
0006553809.tif 000003
は２つの偏波方向の位相調整因子を示し、
【数３】
0006553809.tif 000004
それぞれは第１レベルプリコーディングマトリックス中の異なる偏波方向上の第
【数４】
0006553809.tif 000005
番目のビームベクトルの振幅値の重みつけ因子を示し、
【数５】
0006553809.tif 000006
それぞれは第１レベルプリコーディングマトリックス中の異なる偏波方向上の第
【数６】
0006553809.tif 000007
番目のビームベクトルの位相調整因子を示し、
【数７】
0006553809.tif 000008
は第１レベルプリコーディングマトリックス中のそれぞれの非零サブマトリックスに含まれるビームベクトル数を示し、
【数８】
0006553809.tif 000009
は伝送ストリーム数を示す。
【０００８】
好ましくは、前記ＵＥのアンテナポートは２次元アンテナポートであり、第２レベルプリコーディングマトリックス集合中の第２レベルプリコーディングマトリックス
【数９】
0006553809.tif 000010
それぞれは第１レベルプリコーディングマトリックス中の異なる偏波方向上の第
【数１０】
0006553809.tif 000011
番目の垂直次元のビームベクトルの振幅値の重みつけ因子を示し、
【数１１】
0006553809.tif 000012
それぞれは第１レベルプリコーディングマトリックス中の異なる偏波方向上の第
【数１２】
0006553809.tif 000013
番目の垂直次元のビームベクトルの位相調整因子を示し、
【数１３】
0006553809.tif 000014
内のいずれの値であり、
【数１４】
0006553809.tif 000015
は垂直次元のビームベクトル数を示しであり、
【数１５】
0006553809.tif 000016
それぞれは第１レベルプリコーディングマトリックス中の異なる偏波方向上の第
【数１６】
0006553809.tif 000017
番目の水平次元のビームベクトルの振幅値の重みつけ因子を示し、
【数１７】
0006553809.tif 000018
それぞれは第１レベルプリコーディングマトリックス中の異なる偏波方向上の第
【数１８】
0006553809.tif 000019
番目の水平次元のビームベクトルの位相調整因子を示し、
【数１９】
0006553809.tif 000020
は番目の水平次元のビームベクトル数を示し、第１レベルプリコーディングマトリックス中のそれぞれの非零サブマトリックスに含まれるビームベクトル数
【数２０】
0006553809.tif 000021
は伝送ストリーム数を示す。
【０００９】
本発明の実施例に係るプリコーディングマトリックスの確定方法は、
ネットワーク側は、ＵＥにより送信された第１プリコーディング指示情報及び第２プリコーディング指示情報を受信するステップと、
前記ネットワーク側は、前記第１プリコーディング指示情報及び前記第２プリコーディング指示情報により、プリコーディングマトリックスを確定するステップとを備え、
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００１０】
実施の場合、前記ネットワーク側が前記プリコーディングマトリックスを確定するステップは、
前記ネットワーク側は、第１レベルプリコーディングマトリックス集合から、前記第１プリコーディング指示情報に対応する第１レベルプリコーディングマトリックスを確定するステップであって、ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である前記確定ステップと、
前記ネットワーク側は、第２レベルプリコーディングマトリックス集合から、前記第２プリコーディング指示情報に対応する第２レベルプリコーディングマトリックスを確定するステップと、
前記ネットワーク側は、第１レベルプリコーディングマトリックスと第２レベルプリコーディングマトリックスの積を、前記プリコーディングマトリックスとするステップとを備える。
【００１１】
好ましくは、第２レベルプリコーディングマトリックス集合中の第２レベルプリコーディングマトリックス
【数２１】
0006553809.tif 000022
ここで、
【数２２】
0006553809.tif 000023
は２つの偏波方向の位相調整因子を示し、
【数２３】
0006553809.tif 000024
それぞれは第１レベルプリコーディングマトリックス中の異なる偏波方向上の第
【数２４】
0006553809.tif 000025
番目のビームベクトルの振幅値の重みつけ因子を示し、
【数２５】
0006553809.tif 000026
内のいずれの実数であり、かつ、
【数２６】
0006553809.tif 000027
それぞれは第１レベルプリコーディングマトリックス中の異なる偏波方向上の第
【数２７】
0006553809.tif 000028
番目のビームベクトルの位相調整因子を示し、
【数２８】
0006553809.tif 000029
内のいずれの値であり、
【数２９】
0006553809.tif 000030
は第１レベルプリコーディングマトリックス中のそれぞれの非零サブマトリックスに含まれるビームベクトル数を示し、
【数３０】
0006553809.tif 000031
は伝送ストリーム数を示す。
【００１２】
好ましくは、前記ＵＥのアンテナポートは２次元アンテナポートであり、第２レベルプリコーディングマトリックス集合中の第２レベルプリコーディングマトリックス
【数３１】
0006553809.tif 000032
それぞれは第１レベルプリコーディングマトリックス中の異なる偏波方向上の第
【数３２】
0006553809.tif 000033
番目の垂直次元のビームベクトルの振幅値の重みつけ因子を示し、
【数３３】
0006553809.tif 000034
内のいずれの実数であり、かつ、
【数３４】
0006553809.tif 000035
それぞれは第１レベルプリコーディングマトリックス中の異なる偏波方向上の第
【数３５】
0006553809.tif 000036
番目の垂直次元のビームベクトルの位相調整因子を示し、
【数３６】
0006553809.tif 000037
内のいずれの値であり、
【数３７】
0006553809.tif 000038
は垂直次元のビームベクトル数を示しであり、
【数３８】
0006553809.tif 000039
それぞれは第１レベルプリコーディングマトリックス中の異なる偏波方向上の第
【数３９】
0006553809.tif 000040
番目の水平次元のビームベクトルの振幅値の重みつけ因子を示し、
【数４０】
0006553809.tif 000041
内のいずれの実数であり、かつ、を満たし、
【数４１】
0006553809.tif 000042
それぞれは第１レベルプリコーディングマトリックス中の異なる偏波方向上の第
【数４２】
0006553809.tif 000043
番目の水平次元のビームベクトルの位相調整因子を示し、
【数４３】
0006553809.tif 000044
内のいずれの値であり、
【数４４】
0006553809.tif 000045
は番目の水平次元のビームベクトル数を示し、第１レベルプリコーディングマトリックス中のそれぞれの非零サブマトリックスに含まれるビームベクトル数
【数４５】
0006553809.tif 000046
を示し、
【数４６】
0006553809.tif 000047
は伝送ストリーム数を示す。
【００１３】
本発明の実施例に係るコーディング指示情報の伝送装置は、
第１プリコーディング指示情報及び第２プリコーディング指示情報を確定するための確定モジュールであって、ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる前記確定モジュールと、
ネットワーク側に前記第１プリコーディング指示情報及び前記第２プリコーディング指示情報を送信するための送信モジュールとを備える。
【００１４】
実施の場合、前記確定モジュールは、
第１レベルプリコーディングマトリックス集合から、１つの第１レベルプリコーディングマトリックスを選出し、かつ、選択した第１レベルプリコーディングマトリックスに対応する第１プリコーディング指示情報を確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
第２レベルプリコーディングマトリックス集合から１つの第２レベルプリコーディングマトリックスを選出し、かつ、選択した第２レベルプリコーディングマトリックスに対応する第２プリコーディング指示情報を確定する。
【００１５】
好ましくは、第２レベルプリコーディングマトリックス集合中の第２レベルプリコーディングマトリックス
【数４７】
0006553809.tif 000048
ここで、
【数４８】
0006553809.tif 000049
は２つの偏波方向の位相調整因子を示し、
【数４９】
0006553809.tif 000050
それぞれは第１レベルプリコーディングマトリックス中の異なる偏波方向上の第
【数５０】
0006553809.tif 000051
番目のビームベクトルの振幅値の重みつけ因子を示し、
【数５１】
0006553809.tif 000052
内のいずれの実数であり、かつ、
【数５２】
0006553809.tif 000053
を満たし、
【数５３】
0006553809.tif 000054
それぞれは第１レベルプリコーディングマトリックス中の異なる偏波方向上の第
【数５４】
0006553809.tif 000055
番目のビームベクトルの位相調整因子を示し、
【数５５】
0006553809.tif 000056
内のいずれの値であり、
【数５６】
0006553809.tif 000057
は第１レベルプリコーディングマトリックス中のそれぞれの非零サブマトリックスに含まれるビームベクトル数を示し、
【数５７】
0006553809.tif 000058
は伝送ストリーム数を示す。
【００１６】
好ましくは、前記装置のアンテナポートは２次元アンテナポートであり、第２レベルプリコーディングマトリックス集合中の第２レベルプリコーディングマトリックス
【数５８】
0006553809.tif 000059
それぞれは第１レベルプリコーディングマトリックス中の異なる偏波方向上の第
【数５９】
0006553809.tif 000060
番目の垂直次元のビームベクトルの振幅値の重みつけ因子を示し、
【数６０】
0006553809.tif 000061
内のいずれの実数であり、かつ、
【数６１】
0006553809.tif 000062
を満たし、
【数６２】
0006553809.tif 000063
それぞれは第１レベルプリコーディングマトリックス中の異なる偏波方向上の第
【数６３】
0006553809.tif 000064
番目の垂直次元のビームベクトルの位相調整因子を示し、
【数６４】
0006553809.tif 000065
内のいずれの値であり、
【数６５】
0006553809.tif 000066
は垂直次元のビームベクトル数を示しであり、
【数６６】
0006553809.tif 000067
それぞれは第１レベルプリコーディングマトリックス中の異なる偏波方向上の第
【数６７】
0006553809.tif 000068
番目の水平次元のビームベクトルの振幅値の重みつけ因子を示し、
【数６８】
0006553809.tif 000069
内のいずれの実数であり、かつ、を満たし、
【数６９】
0006553809.tif 000070
それぞれは第１レベルプリコーディングマトリックス中の異なる偏波方向上の第
【数７０】
0006553809.tif 000071
番目の水平次元のビームベクトルの位相調整因子を示し、
【数７１】
0006553809.tif 000072
内のいずれの値であり、
【数７２】
0006553809.tif 000073
は番目の水平次元のビームベクトル数を示し、第１レベルプリコーディングマトリックス中のそれぞれの非零サブマトリックスに含まれるビームベクトル数
【数７３】
0006553809.tif 000074
を示し、
【数７４】
0006553809.tif 000075
は伝送ストリーム数を示す。
【００１７】
本発明の実施例に係るプリコーディングマトリックスの確定装置は、
ＵＥにより送信された第１プリコーディング指示情報及び第２プリコーディング指示情報を受信するための受信モジュールと、
前記第１プリコーディング指示情報及び前記第２プリコーディング指示情報により、プリコーディングマトリックスを確定するための処理モジュールとを備え、
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００１８】
実施の場合、前記処理モジュールは、
第１レベルプリコーディングマトリックス集合から、前記第１プリコーディング指示情報に対応する第１レベルプリコーディングマトリックスを確定し、ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
第２レベルプリコーディングマトリックス集合から、前記第２プリコーディング指示情報に対応する第２レベルプリコーディングマトリックスを確定し、
第１レベルプリコーディングマトリックスと第２レベルプリコーディングマトリックスの積を、前記プリコーディングマトリックスとする。
【００１９】
好ましくは、第２レベルプリコーディングマトリックス集合中の第２レベルプリコーディングマトリックス
【数７５】
0006553809.tif 000076
ここで、
【数７６】
0006553809.tif 000077
は２つの偏波方向の位相調整因子を示し、
【数７７】
0006553809.tif 000078
それぞれは第１レベルプリコーディングマトリックス中の異なる偏波方向上の第
【数７８】
0006553809.tif 000079
番目のビームベクトルの振幅値の重みつけ因子を示し、
【数７９】
0006553809.tif 000080
内のいずれの実数であり、かつ、
【数８０】
0006553809.tif 000081
を満たし、
【数８１】
0006553809.tif 000082
それぞれは第１レベルプリコーディングマトリックス中の異なる偏波方向上の第
【数８２】
0006553809.tif 000083
番目のビームベクトルの位相調整因子を示し、
【数８３】
0006553809.tif 000084
内のいずれの値であり、
【数８４】
0006553809.tif 000085
は第１レベルプリコーディングマトリックス中のそれぞれの非零サブマトリックスに含まれるビームベクトル数を示し、
【数８５】
0006553809.tif 000086
は伝送ストリーム数を示す。
【００２０】
好ましくは、前記ＵＥのアンテナポートは２次元アンテナポートであり、第２レベルプリコーディングマトリックス集合中の第２レベルプリコーディングマトリックス
【数８６】
0006553809.tif 000087
それぞれは第１レベルプリコーディングマトリックス中の異なる偏波方向上の第
【数８７】
0006553809.tif 000088
番目の垂直次元のビームベクトルの振幅値の重みつけ因子を示し、
【数８８】
0006553809.tif 000089
内のいずれの実数であり、かつ、
【数８９】
0006553809.tif 000090
を満たし、
【数９０】
0006553809.tif 000091
それぞれは第１レベルプリコーディングマトリックス中の異なる偏波方向上の第
【数９１】
0006553809.tif 000092
番目の垂直次元のビームベクトルの位相調整因子を示し、
【数９２】
0006553809.tif 000093
内のいずれの値であり、
【数９３】
0006553809.tif 000094
は垂直次元のビームベクトル数を示しであり、
【数９４】
0006553809.tif 000095
それぞれは第１レベルプリコーディングマトリックス中の異なる偏波方向上の第
【数９５】
0006553809.tif 000096
番目の水平次元のビームベクトルの振幅値の重みつけ因子を示し、
【数９６】
0006553809.tif 000097
内のいずれの実数であり、かつ、
【数９７】
0006553809.tif 000098
を満たし、
【数９８】
0006553809.tif 000099
それぞれは第１レベルプリコーディングマトリックス中の異なる偏波方向上の第
【数９９】
0006553809.tif 000100
番目の水平次元のビームベクトルの位相調整因子を示し、
【数１００】
0006553809.tif 000101
内のいずれの値であり、
【数１０１】
0006553809.tif 000102
は番目の水平次元のビームベクトル数を示し、第１レベルプリコーディングマトリックス中のそれぞれの非零サブマトリックスに含まれるビームベクトル数
【数１０２】
0006553809.tif 000103
は伝送ストリーム数を示す。
【００２１】
本発明の実施例に係るＵＥは、送受信機と、前記送受信機と接続する少なくとも１つのプロセッサとを備え、
前記プロセッサは、メモリに格納されたプログラムを読み出して、第１プリコーディング指示情報及び第２プリコーディング指示情報を確定し、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられ、
前記送受信機は、前記プロセッサの制御により、ネットワーク側に前記第１プリコーディング指示情報及び前記第２プリコーディング指示情報を送信する。
【００２２】
実施の場合、前記プロセッサは、
第１レベルプリコーディングマトリックス集合から、１つの第１レベルプリコーディングマトリックスを選出し、かつ、選択した第１レベルプリコーディングマトリックスに対応する第１プリコーディング指示情報を確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
第２レベルプリコーディングマトリックス集合から１つの第２レベルプリコーディングマトリックスを選出し、かつ、選択した第２レベルプリコーディングマトリックスに対応する第２プリコーディング指示情報を確定する。
【００２３】
好ましくは、第２レベルプリコーディングマトリックス集合中の第２レベルプリコーディングマトリックス
【数１０３】
0006553809.tif 000104
ここで、
【数１０４】
0006553809.tif 000105
は２つの偏波方向の位相調整因子を示し、
【数１０５】
0006553809.tif 000106
それぞれは第１レベルプリコーディングマトリックス中の異なる偏波方向上の第
【数１０６】
0006553809.tif 000107
番目のビームベクトルの振幅値の重みつけ因子を示し、
【数１０７】
0006553809.tif 000108
内のいずれの実数であり、かつ、
【数１０８】
0006553809.tif 000109
を満たし、
【数１０９】
0006553809.tif 000110
それぞれは第１レベルプリコーディングマトリックス中の異なる偏波方向上の第
【数１１０】
0006553809.tif 000111
番目のビームベクトルの位相調整因子を示し、
【数１１１】
0006553809.tif 000112
内のいずれの値であり、
【数１１２】
0006553809.tif 000113
は第１レベルプリコーディングマトリックス中のそれぞれの非零サブマトリックスに含まれるビームベクトル数を示し、
【数１１３】
0006553809.tif 000114
は伝送ストリーム数を示す。
【００２４】
好ましくは、前記ＵＥのアンテナポートは２次元アンテナポートであり、第２レベルプリコーディングマトリックス集合中の第２レベルプリコーディングマトリックス
【数１１４】
0006553809.tif 000115
それぞれは第１レベルプリコーディングマトリックス中の異なる偏波方向上の第
【数１１５】
0006553809.tif 000116
番目の垂直次元のビームベクトルの振幅値の重みつけ因子を示し、
【数１１６】
0006553809.tif 000117
内のいずれの実数であり、かつ、
【数１１７】
0006553809.tif 000118
それぞれは第１レベルプリコーディングマトリックス中の異なる偏波方向上の第
【数１１８】
0006553809.tif 000119
番目の垂直次元のビームベクトルの位相調整因子を示し、
【数１１９】
0006553809.tif 000120
内のいずれの値であり、
【数１２０】
0006553809.tif 000121
は垂直次元のビームベクトル数を示しであり、
【数１２１】
0006553809.tif 000122
それぞれは第１レベルプリコーディングマトリックス中の異なる偏波方向上の第
【数１２２】
0006553809.tif 000123
番目の水平次元のビームベクトルの振幅値の重みつけ因子を示し、
【数１２３】
0006553809.tif 000124
内のいずれの実数であり、かつ、
【数１２４】
0006553809.tif 000125
それぞれは第１レベルプリコーディングマトリックス中の異なる偏波方向上の第
【数１２５】
0006553809.tif 000126
番目の水平次元のビームベクトルの位相調整因子を示し、
【数１２６】
0006553809.tif 000127
内のいずれの値であり、
【数１２７】
0006553809.tif 000128
は番目の水平次元のビームベクトル数を示し、第１レベルプリコーディングマトリックス中のそれぞれの非零サブマトリックスに含まれるビームベクトル数
【数１２８】
0006553809.tif 000129
は伝送ストリーム数を示す。
【００２５】
本発明の実施例に係る基地局は、送受信機と、前記送受信機と接続する少なくとも１つのプロセッサとを備え、
前記プロセッサは、メモリに格納されたプログラムを読み出して、
前記送受信機により、ＵＥにより送信された第１プリコーディング指示情報及び第２プリコーディング指示情報を受信し、前記第１プリコーディング指示情報及び前記第２プリコーディング指示情報により、プリコーディングマトリックスを確定し、
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００２６】
実施の場合、前記プロセッサは、
第１レベルプリコーディングマトリックス集合から、前記第１プリコーディング指示情報に対応する第１レベルプリコーディングマトリックスを確定し、ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数であり、
第２レベルプリコーディングマトリックス集合から、前記第２プリコーディング指示情報に対応する第２レベルプリコーディングマトリックスを確定し、
第１レベルプリコーディングマトリックスと第２レベルプリコーディングマトリックスの積を、前記プリコーディングマトリックスとする。
【００２７】
好ましくは、第２レベルプリコーディングマトリックス集合中の第２レベルプリコーディングマトリックス
【数１２９】
0006553809.tif 000130
ここで、
【数１３０】
0006553809.tif 000131
は２つの偏波方向の位相調整因子を示し、
【数１３１】
0006553809.tif 000132
それぞれは第１レベルプリコーディングマトリックス中の異なる偏波方向上の第
【数１３２】
0006553809.tif 000133
番目のビームベクトルの振幅値の重みつけ因子を示し、
【数１３３】
0006553809.tif 000134
内のいずれの実数であり、かつ、
【数１３４】
0006553809.tif 000135
それぞれは第１レベルプリコーディングマトリックス中の異なる偏波方向上の第
【数１３５】
0006553809.tif 000136
番目のビームベクトルの位相調整因子を示し、
【数１３６】
0006553809.tif 000137
内のいずれの値であり、
【数１３７】
0006553809.tif 000138
は第１レベルプリコーディングマトリックス中のそれぞれの非零サブマトリックスに含まれるビームベクトル数を示し、
【数１３８】
0006553809.tif 000139
は伝送ストリーム数を示す。
【００２８】
好ましくは、前記ＵＥのアンテナポートは２次元アンテナポートであり、第２レベルプリコーディングマトリックス集合中の第２レベルプリコーディングマトリックス
【数１３９】
0006553809.tif 000140
それぞれは第１レベルプリコーディングマトリックス中の異なる偏波方向上の第
【数１４０】
0006553809.tif 000141
番目の垂直次元のビームベクトルの振幅値の重みつけ因子を示し、
【数１４１】
0006553809.tif 000142
内のいずれの実数であり、かつ、
【数１４２】
0006553809.tif 000143
それぞれは第１レベルプリコーディングマトリックス中の異なる偏波方向上の第
【数１４３】
0006553809.tif 000144
番目の垂直次元のビームベクトルの位相調整因子を示し、
【数１４４】
0006553809.tif 000145
内のいずれの値であり、
【数１４５】
0006553809.tif 000146
は垂直次元のビームベクトル数を示しであり、
【数１４６】
0006553809.tif 000147
それぞれは第１レベルプリコーディングマトリックス中の異なる偏波方向上の第
【数１４７】
0006553809.tif 000148
番目の水平次元のビームベクトルの振幅値の重みつけ因子を示し、
【数１４８】
0006553809.tif 000149
内のいずれの実数であり、かつ、
【数１４９】
0006553809.tif 000150
それぞれは第１レベルプリコーディングマトリックス中の異なる偏波方向上の第
【数１５０】
0006553809.tif 000151
番目の水平次元のビームベクトルの位相調整因子を示し、
【数１５１】
0006553809.tif 000152
内のいずれの値であり、
【数１５２】
0006553809.tif 000153
は番目の水平次元のビームベクトル数を示し、第１レベルプリコーディングマトリックス中のそれぞれの非零サブマトリックスに含まれるビームベクトル数
【数１５３】
0006553809.tif 000154
は伝送ストリーム数を示す。
【発明の効果】
【００２９】
本発明の実施例に係るプリコーディングマトリックスは、第１レベルプリコーディングマトリックスと第１レベルプリコーディングマトリックス中のそれぞれ偏波方向の全部ビームベクトルに対し振幅値の重みつけ及び位相調整を行う第２レベルプリコーディングマトリックスの積であり、ここで、第１レベルプリコーディングマトリックス中のビームベクトルはＵＥの大体の方位を確定し、線形の重みつけを避け、システムフィードバックオーバーヘッドを低減した。第２レベルプリコーディングマトリックスは線形の重みつけを利用し、第１レベルプリコーディングマトリックス中の異なる偏波方向の異なるビームベクトルに対し振幅値調整と位相調整を行うことにより、ビームベクトルがＵＥの精確方位を指向するようにし、第２レベルプリコーディングマトリックスにより、プリコーディングマトリックスの解像度を調整することができるようになり、高解像度のプリコーディングマトリックスを得て、システム性能を向上する。
【図面の簡単な説明】
【００３０】
【図１】本発明に係るコーディング指示情報の伝送方法のフローチャートである。
【図２】本発明に係るプリコーディングマトリックスの確定方法のフローチャートである。
【図３】本発明に係るコーディング指示情報の伝送装置を示す図である。
【図４】本発明に係るプリコーディングマトリックスの確定装置を示す図である。
【図５】本発明に係るＵＥの構造図である。
【図６】本発明に係る基地局の構造図である。
【発明を実施するための形態】
【００３１】
線形プリコーディングをベースとするマルチアンテナシステムには、受信機は、チャネル情報により、事前に定義されたプリコーディングマトリックスより構成された集合から、適合のプリコーディングマトリックスを選出し、選出されたプリコーディングマトリックスに対応するインデックスをトランスミッターにフィードバックし、当該集合はコードブックと称される。トランスミッターは、受信したインデックスにより、に対応するプリコーディングマトリックスを確定し、これを利用して、送信信号を適度に前処理することにより、情報伝送的有効性と信頼性を向上する。コードブックは、当該プロセスを実現するため必須要素である。コードブックの設計は、なるべくチャネルの分布特性に適合し、コードブック量子化によりもたらした性能損失を最小化するようにする。本発明に係る実施例は、ＭＩＭＯ（Ｍｕｌｔｉｐｌｅ Ｉｎｐｕｔ Ｍｕｌｔｉｐｌｅ Ｏｕｔｐｕｔ）チャネルにおいて、線形の重みつけ方式で、コードブックを生成する方法を提供し、ＤＦＴビームベクトルサブグルプ及び列選択を利用して生成したコードブックに、コードワードの解像度を柔軟に調整できない問題を解決する。
【００３２】
以下、明細書及び図面を参照ながら、本発明に係る実施例をさらに詳しく説明する。ここで説明した実施例は、本発明を説明・解釈するためにすぎず、本発明を限定するわけではない。
【００３３】
本発明に係る実施例はＵＥ側コーディング指示情報の伝送方法を提供し、図１に示すように、当該方法は下記のステップを備える。
【００３４】
Ｓ１１において、ＵＥは、第１プリコーディング指示情報及び第２プリコーディング指示情報を確定する。ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００３５】
Ｓ１２において、前記ＵＥは、ネットワーク側に前記第１プリコーディング指示情報及び前記第２プリコーディング指示情報を送信する。
【００３６】
本発明に係る実施例のプリコーディングマトリックスは、第１レベルプリコーディングマトリックスと第１レベルプリコーディングマトリックス中のそれぞれ偏波方向の全部ビームベクトルに対し振幅値の重みつけ及び位相調整を行う第２レベルプリコーディングマトリックスの積であり、ここで、第１レベルプリコーディングマトリックス中のビームベクトルはＵＥの大体の方位を確定し、線形の重みつけを避け、システムフィードバックオーバーヘッドを低減した。第２レベルプリコーディングマトリックスは線形の重みつけを利用し、第１レベルプリコーディングマトリックス中の異なる偏波方向の異なるビームベクトルに対し振幅値調整と位相調整を行うことにより、ビームベクトルがＵＥの精確方位を指向するようにし、第２レベルプリコーディングマトリックスにより、プリコーディングマトリックスの解像度を調整することができるようになり、高解像度のプリコーディングマトリックスを得て、システム性能を向上する。
【００３７】
実施の場合、Ｓ１１中の前記ＵＥが前記第１プリコーディング指示情報及び前記第２プリコーディング指示情報を確定するステップは、具体的に、前記ＵＥは、第１レベルプリコーディングマトリックス集合から１つの第１レベルプリコーディングマトリックスを選出し、かつ、選択した第１レベルプリコーディングマトリックスに対応する第１プリコーディング指示情報を確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である。
【００３８】
または、前記ＵＥは、第２レベルプリコーディングマトリックス集合から１つの第２レベルプリコーディングマトリックスを選択し、かつ、選択した第２レベルプリコーディングマトリックスに対応する第２プリコーディング指示情報を確定する。
【００３９】
好ましくは、第１プリコーディング指示情報は、前記ＵＥが選択した第１レベルプリコーディングマトリックスの、第１レベルプリコーディングマトリックス集合中のインデックスであり、ＰＭＩ１とする。
【００４０】
好ましくは、第２プリコーディング指示情報は、前記ＵＥが選択した第２レベルプリコーディングマトリックスの、第２レベルプリコーディングマトリックス集合中のインデックスであり、ＰＭＩ２とする。
【００４１】
本発明に係る実施例には、前記第１レベルプリコーディングマトリックス集合にはS個の第１レベルプリコーディングマトリックスが含まれ、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、インデックス番号が隣接する２つの第１プリコーディングマトリックスに含まれるビームベクトルは、一部同一、または、全く相違し、ＳとＭは正整数である。
【００４２】
具体的に、第１プリコーディングマトリックス中のそれぞれの非零サブマトリックス中のビームベクトルは、事前に定義されたＮ個のＤＦＴビームベクトル中のＭ個のビームベクトルであり、それぞれのビームベクトルは１つの角度
【数１５４】
0006553809.tif 000155
に指向する。２重偏波アンテナアレーの場合、当該ビームベクトルは、１つの偏波方向上のアンテナポートに用いられウ。ここで、第i番目のビームベクトルは以下とおりに定義される。
【００４３】
【数１５５】
0006553809.tif 000156
は、前記ＵＥのアンテナのぞれぞれの偏波方向に対応するポート数を示す。
【００４４】
好ましくは、前記第１レベルプリコーディングマトリックス集合中の第
【数１５６】
0006553809.tif 000157
番目の第１レベルプリコーディングマトリックスは以下とおりに示される。
【００４５】
【数１５７】
0006553809.tif 000158
ここで、それぞれの非零サブマトリックス（即ち各ブロック）
【数１５８】
0006553809.tif 000159
次元のマトリックスであり、
【数１５９】
0006553809.tif 000160
次元のダイアゴナルマトリックスであり、
【数１６０】
0006553809.tif 000161
はインデックス番号が隣接する２つの第１プリコーディングマトリックスに含まれるビームベクトル中の異なるビームベクトル数を示し（即ち隣接する２つの第１プリコーディングマトリックス中の非重複のビームベクトル数を示す）、
【数１６１】
0006553809.tif 000162
【００４６】
好ましくは、
【数１６２】
0006553809.tif 000163
の関数とすることができ、
【数１６３】
0006553809.tif 000164
における各エレメントは固定値であってもよい。
実施の場合、第
【数１６４】
0006553809.tif 000165
番目の第１レベルプリコーディングマトリックスに含まれる第
【数１６５】
0006553809.tif 000166
番目のビームベクトルのインデックスは、
【数１６６】
0006553809.tif 000167
であり、
ここで、
【数１６７】
0006553809.tif 000168
【００４７】
好ましくは、
【数１６８】
0006553809.tif 000169
番目の第１レベルプリコーディングマトリックスに含まれる第
【数１６９】
0006553809.tif 000170
番目のビームベクトルのインデックスは、
【数１７０】
0006553809.tif 000171
であり、
ここで、
【数１７１】
0006553809.tif 000172
はMod 演算を示す。
【００４８】
好ましくは、前記ＵＥのアンテナポートが２次元アンテナポートであり、第１レベルプリコーディングマトリックス中のビームベクトルが垂直次元のビームベクトルと水平次元のビームベクトルのＫｒｏｎｅｃｋｅｒの積であれば、第１プリコーディングマトリックス中のそれぞれの非零サブマトリックスの
【数１７２】
0006553809.tif 000173
番目の垂直次元のビームベクトルと
【数１７３】
0006553809.tif 000174
番目の水平次元のビームベクトルのＫｒｏｎｅｃｋｅｒとの積であり、
【数１７４】
0006553809.tif 000175
は正整数である。
【００４９】
具体的に、垂直次元において
【数１７５】
0006553809.tif 000176
番目のビームベクトルを定義し、水平次元において
【数１７６】
0006553809.tif 000177
番目のビームベクトルを定義し、ビームベクトルの総数は
【数１７７】
0006553809.tif 000178
個ずつの垂直次元のビームベクトルを１グルプとし、水平次元の
【数１７８】
0006553809.tif 000179
個ずつの水平次元のビームベクトルを１グルプとする。こうして、
【数１７９】
0006553809.tif 000180
個のビームベクトルが含まれ、以下のように、４種の数式で示すことができる。
【００５０】
【数１８０】
0006553809.tif 000181
【００５１】
ここで、第
【数１８１】
0006553809.tif 000182
番目の垂直次元のビームベクトルのグルプは
【数１８２】
0006553809.tif 000183
番目の水平次元のビームベクトルのグルプは
【数１８３】
0006553809.tif 000184
であり、垂直次元のビームベクトルは、
【数１８４】
0006553809.tif 000185
により示され、水平次元のビームベクトルは、
【数１８５】
0006553809.tif 000186
により示される。
【００５２】
ここで、
【数１８６】
0006553809.tif 000187
は垂直次元の隣接サブグルプ中の非重複的ビームベクトル数を示し、
【数１８７】
0006553809.tif 000188
は水平次元の隣接サブグルプ中の非重複的ビームベクトル数を示し、
【数１８８】
0006553809.tif 000189
次元のダイアゴナルマトリックスであり、
【数１８９】
0006553809.tif 000190
次元のダイアゴナルマトリックスである。
【００５３】
好ましくは、
【数１９０】
0006553809.tif 000191
における各エレメントは固定値であってもよい。
【００５４】
好ましくは、
【数１９１】
0006553809.tif 000192
における各エレメントは固定値であってもよい。
【００５５】
好ましい実施手段として、第２レベルプリコーディングマトリックス集合中の第２レベルプリコーディングマトリックス
【数１９２】
0006553809.tif 000193
ここで、
【数１９３】
0006553809.tif 000194
は２つの偏波方向の位相調整因子を示し、１の可能の値は
【数１９４】
0006553809.tif 000195
それぞれは第１レベルプリコーディングマトリックス中の異なる偏波方向上の第
【数１９５】
0006553809.tif 000196
番目のビームベクトルの振幅値の重みつけ因子を示し、
【数１９６】
0006553809.tif 000197
内のいずれの実数であり、かつ、
【数１９７】
0006553809.tif 000198
それぞれは第１レベルプリコーディングマトリックス中の異なる偏波方向上の第
【数１９８】
0006553809.tif 000199
番目のビームベクトルの位相調整因子を示し、
【数１９９】
0006553809.tif 000200
内のいずれの値であり、
【数２００】
0006553809.tif 000201
は第１レベルプリコーディングマトリックス中のそれぞれの非零サブマトリックスに含まれるビームベクトル数を示し、
【数２０１】
0006553809.tif 000202
は伝送ストリーム数を示す。
【００５６】
好ましくは、前記ＵＥのアンテナポートは２次元アンテナポートであり、第２レベルプリコーディングマトリックス集合中の第２レベルプリコーディングマトリックス
【数２０２】
0006553809.tif 000203
それぞれは第１レベルプリコーディングマトリックス中の異なる偏波方向上の第
【数２０３】
0006553809.tif 000204
番目の垂直次元のビームベクトルの振幅値の重みつけ因子を示し、
【数２０４】
0006553809.tif 000205
内のいずれの実数であり、かつ、
【数２０５】
0006553809.tif 000206
それぞれは第１レベルプリコーディングマトリックス中の異なる偏波方向上の第
【数２０６】
0006553809.tif 000207
番目の垂直次元のビームベクトルの位相調整因子を示し、
【数２０７】
0006553809.tif 000208
は垂直次元のビームベクトル数を示しであり、
【数２０８】
0006553809.tif 000209
それぞれは第１レベルプリコーディングマトリックス中の異なる偏波方向上の第
【数２０９】
0006553809.tif 000210
番目の水平次元のビームベクトルの振幅値の重みつけ因子を示し、
【数２１０】
0006553809.tif 000211
それぞれは第１レベルプリコーディングマトリックス中の異なる偏波方向上の第
【数２１１】
0006553809.tif 000212
番目の水平次元のビームベクトルの位相調整因子を示し、
【数２１２】
0006553809.tif 000213
は番目の水平次元のビームベクトル数を示し、第１レベルプリコーディングマトリックス中のそれぞれの非零サブマトリックスに含まれるビームベクトル数
【数２１３】
0006553809.tif 000214
は伝送ストリーム数を示す。
【００５７】
同様発明思想により、本発明に係る実施例は、ネットワーク側プリコーディングマトリックスの確定方法をさらに提供し、図２に示すように、当該方法は下記のステップを備える。
【００５８】
Ｓ２１において、ネットワーク側は、ＵＥにより送信された第１プリコーディング指示情報及び第２プリコーディング指示情報を受信する。
【００５９】
Ｓ２２において、前記ネットワーク側は、前記第１プリコーディング指示情報及び前記第２プリコーディング指示情報により、プリコーディングマトリックスを確定する。
【００６０】
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００６１】
実施の場合、Ｓ２２中の前記ネットワーク側が、前記第１プリコーディング指示情報及び前記第２プリコーディング指示情報により、プリコーディングマトリックスを確定するステップは、具体的に、前記ネットワーク側は、第１レベルプリコーディングマトリックス集合から、前記第１プリコーディング指示情報に対応する第１レベルプリコーディングマトリックスを確定する。ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である。
【００６２】
また、前記ネットワーク側は、第２レベルプリコーディングマトリックス集合から、前記第２プリコーディング指示情報に対応する第２レベルプリコーディングマトリックスを確定する。
【００６３】
前記ネットワーク側は、第１レベルプリコーディングマトリックス、方向の重みつけベクトルと位相調整因子の関数により構成されたマトリックスを、プリコーディングマトリックスとする。
【００６４】
好ましくは、第１プリコーディング指示情報は、前記ＵＥが選択した第１レベルプリコーディングマトリックスの、第１レベルプリコーディングマトリックス集合中のインデックスであり、ＰＭＩ１とする。
【００６５】
好ましくは、第２プリコーディング指示情報は、前記ＵＥが選択した第２レベルプリコーディングマトリックスの、第２レベルプリコーディングマトリックス集合中のインデックスであり、ＰＭＩ２とする。
【００６６】
好ましい実施手段として、第２レベルプリコーディングマトリックス集合中の第２レベルプリコーディングマトリックス
【数２１４】
0006553809.tif 000215
ここで、
【数２１５】
0006553809.tif 000216
は２つの偏波方向の位相調整因子を示し、１の可能の値は
【数２１６】
0006553809.tif 000217
それぞれは第１レベルプリコーディングマトリックス中の異なる偏波方向上の第
【数２１７】
0006553809.tif 000218
番目のビームベクトルの振幅値の重みつけ因子を示し、
【数２１８】
0006553809.tif 000219
それぞれは第１レベルプリコーディングマトリックス中の異なる偏波方向上の第
【数２１９】
0006553809.tif 000220
番目のビームベクトルの位相調整因子を示し、
【数２２０】
0006553809.tif 000221
は第１レベルプリコーディングマトリックス中のそれぞれの非零サブマトリックスに含まれるビームベクトル数を示し、
【数２２１】
0006553809.tif 000222
は伝送ストリーム数を示す。
【００６７】
好ましくは、前記ＵＥのアンテナポートが２次元アンテナポートであれば、第２レベルプリコーディングマトリックス集合中の第２レベルプリコーディングマトリックス
【数２２２】
0006553809.tif 000223
それぞれは第１レベルプリコーディングマトリックス中の異なる偏波方向上の第
【数２２３】
0006553809.tif 000224
番目の垂直次元のビームベクトルの振幅値の重みつけ因子を示し、
【数２２４】
0006553809.tif 000225
それぞれは第１レベルプリコーディングマトリックス中の異なる偏波方向上の第
【数２２５】
0006553809.tif 000226
番目の垂直次元のビームベクトルの位相調整因子を示し、
【数２２６】
0006553809.tif 000227
は垂直次元のビームベクトル数を示しであり、
【数２２７】
0006553809.tif 000228
それぞれは第１レベルプリコーディングマトリックス中の異なる偏波方向上の第
【数２２８】
0006553809.tif 000229
番目の水平次元のビームベクトルの振幅値の重みつけ因子を示し、
【数２２９】
0006553809.tif 000230
それぞれは第１レベルプリコーディングマトリックス中の異なる偏波方向上の第
【数２３０】
0006553809.tif 000231
番目の水平次元のビームベクトルの位相調整因子を示し、
【数２３１】
0006553809.tif 000232
は番目の水平次元のビームベクトル数を示し、第１レベルプリコーディングマトリックス中のそれぞれの非零サブマトリックスに含まれるビームベクトル数を示し
【数２３２】
0006553809.tif 000233
は伝送ストリーム数を示す。
【００６８】
上述のいずれかの実施例に基づき、前記ネットワーク側は、第２レベルプリコーディングマトリックスにより、第１レベルプリコーディングマトリックス中の全部のビームベクトルに対し振幅値の重みつけ及び位相調整を行って、最終のプリコーディングマトリックス
【数２３３】
0006553809.tif 000234
を得る。前記ネットワーク側により確定されたプリコーディングマトリックスは以下数式である。
【００６９】
【数２３４】
0006553809.tif 000235
ここで、
【数２３５】
0006553809.tif 000236
は２つの偏波方向の位相調整因子を示し、
【数２３６】
0006553809.tif 000237
層の交差偏波アンテナの異なる偏波方向のプリコーディングマトリックスを示し、
【数２３７】
0006553809.tif 000238
は伝送ストリーム数を示す。
【００７０】
上述方法のフローチャートはソフトウェアプログラムにより実施することができ、当該ソフトウェアプログラムは記憶媒体に格納されることができ、格納されたソフトウェアプログラムが呼び出される場合、上述の方法ステップを執行する。
【００７１】
同様発明思想により、本発明に係る実施例は、コーディング指示情報の伝送装置をさらに提供し、当該装置の問題解決原理は上述のコーディング指示情報の伝送方法と類似するため、当該装置の実施は方法を参照すればよいので、繰り返して説明しない。
【００７２】
本発明に係る実施例が提供するコーディング指示情報の伝送装置は、図３に示すように、前記装置は、第１プリコーディング指示情報及び第２プリコーディング指示情報を確定するための確定モジュール３１であって、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる確定モジュール３１と、ネットワーク側に前記第１プリコーディング指示情報及び前記第２プリコーディング指示情報を送信するための送信モジュール３２とを備える。
【００７３】
実施の場合、前記確定モジュール３１は、第１レベルプリコーディングマトリックス集合から、１つの第１レベルプリコーディングマトリックスを選出し、かつ、選択した第１レベルプリコーディングマトリックスに対応する第１プリコーディング指示情報を確定し、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である。
【００７４】
また、第２レベルプリコーディングマトリックス集合から１つの第２レベルプリコーディングマトリックスを選出し、かつ、選択した第２レベルプリコーディングマトリックスに対応する第２プリコーディング指示情報を確定する。
【００７５】
好ましい実施手段として、第２レベルプリコーディングマトリックス集合中の第２レベルプリコーディングマトリックス
【数２３８】
0006553809.tif 000239
ここで、
【数２３９】
0006553809.tif 000240
は２つの偏波方向の位相調整因子を示し、
【数２４０】
0006553809.tif 000241
それぞれは第１レベルプリコーディングマトリックス中の異なる偏波方向上の第
【数２４１】
0006553809.tif 000242
番目のビームベクトルの振幅値の重みつけ因子を示し、
【数２４２】
0006553809.tif 000243
内のいずれの実数であり、かつ、
【数２４３】
0006553809.tif 000244
それぞれは第１レベルプリコーディングマトリックス中の異なる偏波方向上の第
【数２４４】
0006553809.tif 000245
番目のビームベクトルの位相調整因子を示し、
【数２４５】
0006553809.tif 000246
は第１レベルプリコーディングマトリックス中のそれぞれの非零サブマトリックスに含まれるビームベクトル数を示し、
【数２４６】
0006553809.tif 000247
は伝送ストリーム数を示す。
【００７６】
好ましくは、前記装置のアンテナポートは２次元アンテナポートであれば、第２レベルプリコーディングマトリックス集合中の第２レベルプリコーディングマトリックス
【数２４７】
0006553809.tif 000248
それぞれは第１レベルプリコーディングマトリックス中の異なる偏波方向上の第
【数２４８】
0006553809.tif 000249
番目の垂直次元のビームベクトルの振幅値の重みつけ因子を示し、
【数２４９】
0006553809.tif 000250
それぞれは第１レベルプリコーディングマトリックス中の異なる偏波方向上の第
【数２５０】
0006553809.tif 000251
番目の垂直次元のビームベクトルの位相調整因子を示し、
【数２５１】
0006553809.tif 000252
は垂直次元のビームベクトル数を示しであり、
【数２５２】
0006553809.tif 000253
それぞれは第１レベルプリコーディングマトリックス中の異なる偏波方向上の第
【数２５３】
0006553809.tif 000254
番目の水平次元のビームベクトルの振幅値の重みつけ因子を示し、
【数２５４】
0006553809.tif 000255
それぞれは第１レベルプリコーディングマトリックス中の異なる偏波方向上の第
【数２５５】
0006553809.tif 000256
番目の水平次元のビームベクトルの位相調整因子を示し、
【数２５６】
0006553809.tif 000257
は番目の水平次元のビームベクトル数を示し、第１レベルプリコーディングマトリックス中のそれぞれの非零サブマトリックスに含まれるビームベクトル数
【数２５７】
0006553809.tif 000258
は伝送ストリーム数を示す。
【００７７】
同様発明思想により、本発明に係る実施例は、プリコーディングマトリックスの確定装置をさらに提供し、当該装置の問題解決原理は上述のプリコーディングマトリックスの確定方法と類似するため、当該装置の実施は方法の実施を参照すればよいため、繰り返して説明しない。
【００７８】
本発明に係る実施例のプリコーディングマトリックスの確定装置は、図４に示すように、当該装置は、ＵＥにより送信された第１プリコーディング指示情報及び第２プリコーディング指示情報を受信するための受信モジュール４１と、前記第１プリコーディング指示情報及び前記第２プリコーディング指示情報により、プリコーディングマトリックスを確定するための処理モジュール４２とを備える。
【００７９】
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００８０】
実施の場合、前記処理モジュール４２は、第１レベルプリコーディングマトリックス集合から、前記第１プリコーディング指示情報に対応する第１レベルプリコーディングマトリックスを確定し、ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である。
【００８１】
また、第２レベルプリコーディングマトリックス集合から、前記第２プリコーディング指示情報に対応する第２レベルプリコーディングマトリックスを確定する。
【００８２】
また、第１レベルプリコーディングマトリックスと第２レベルプリコーディングマトリックスの積を、前記プリコーディングマトリックスとする。
【００８３】
好ましい実施手段として、第２レベルプリコーディングマトリックス集合中の第２レベルプリコーディングマトリックス
【数２５８】
0006553809.tif 000259
ここで、
【数２５９】
0006553809.tif 000260
は２つの偏波方向の位相調整因子を示し、
【数２６０】
0006553809.tif 000261
それぞれは第１レベルプリコーディングマトリックス中の異なる偏波方向上の第
【数２６１】
0006553809.tif 000262
番目のビームベクトルの振幅値の重みつけ因子を示し、
【数２６２】
0006553809.tif 000263
それぞれは第１レベルプリコーディングマトリックス中の異なる偏波方向上の第
【数２６３】
0006553809.tif 000264
番目のビームベクトルの位相調整因子を示し、
【数２６４】
0006553809.tif 000265
は第１レベルプリコーディングマトリックス中のそれぞれの非零サブマトリックスに含まれるビームベクトル数を示し、
【数２６５】
0006553809.tif 000266
は伝送ストリーム数を示す。
【００８４】
好ましくは、前記ＵＥのアンテナポートは２次元アンテナポートであれば、第２レベルプリコーディングマトリックス集合中の第２レベルプリコーディングマトリックス
【数２６６】
0006553809.tif 000267
それぞれは第１レベルプリコーディングマトリックス中の異なる偏波方向上の第
【数２６７】
0006553809.tif 000268
番目の垂直次元のビームベクトルの振幅値の重みつけ因子を示し、
【数２６８】
0006553809.tif 000269
それぞれは第１レベルプリコーディングマトリックス中の異なる偏波方向上の第
【数２６９】
0006553809.tif 000270
番目の垂直次元のビームベクトルの位相調整因子を示し、
【数２７０】
0006553809.tif 000271
は垂直次元のビームベクトル数を示しであり、
【数２７１】
0006553809.tif 000272
それぞれは第１レベルプリコーディングマトリックス中の異なる偏波方向上の第
【数２７２】
0006553809.tif 000273
番目の水平次元のビームベクトルの振幅値の重みつけ因子を示し、
【数２７３】
0006553809.tif 000274
それぞれは第１レベルプリコーディングマトリックス中の異なる偏波方向上の第
【数２７４】
0006553809.tif 000275
番目の水平次元のビームベクトルの位相調整因子を示し、
【数２７５】
0006553809.tif 000276
は番目の水平次元のビームベクトル数を示し、第１レベルプリコーディングマトリックス中のそれぞれの非零サブマトリックスに含まれるビームベクトル数を示し
【数２７６】
0006553809.tif 000277
は伝送ストリーム数を示す。
【００８５】
以下、好ましいハードウェア構造を参照して、本発明の実施例に係るＵＥの構造、処理を説明する。
【００８６】
図５の実施例においてＵＥは、送受信機５１と、当該送受信機５１に接続する少なくとも１つのプロセッサ５２とを備える。
【００８７】
前記プロセッサ５２は、メモリ５３に格納されたプログラムを読み出して、第１プリコーディング指示情報及び第２プリコーディング指示情報を確定する。ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００８８】
前記送受信機５１は、プロセッサ５２の制御により、ネットワーク側に前記第１プリコーディング指示情報及び前記第２プリコーディング指示情報を送信する。
【００８９】
図５において、バスアーキテクチャは、いずれ数の相互接続するバス及びブリッジを備える。具体的に、プロセッサ５２が代表となる１つまたは複数のプロセッサ及びメモリ５３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１は、複数の部品であることができ、即ち、送信機及び受信機を備え、伝送媒体を介して他の装置と通信するユニットを提供する。異なるユーザー設備に対し、ユーザーインターフェース５４は、外部接続または内部接続に必要な設備のインターフェースであることもできる。接続する設備は、キーパッド、ディスプレー、スピーカー、マイクロホン、ジョイスティック等を備えるが、これに限られない。プロセッサ５２は、バスアーキテクチャ及び通常の処理を監視し、メモリ５３は、プロセッサ５２が動作する際に利用するデータを記憶することができる。
【００９０】
実施の場合、前記プロセッサ５２は、具体的に、第１レベルプリコーディングマトリックス集合から、１つの第１レベルプリコーディングマトリックスを選出し、かつ、選択した第１レベルプリコーディングマトリックスに対応する第１プリコーディング指示情報を確定する。それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である。
【００９１】
また、第２レベルプリコーディングマトリックス集合から１つの第２レベルプリコーディングマトリックスを選出し、かつ、選択した第２レベルプリコーディングマトリックスに対応する第２プリコーディング指示情報を確定する。
【００９２】
以下、好ましいハードウェア構造を参照して、本発明の実施例に係る基地局の構造、処理を説明する。
【００９３】
図６の実施例において、基地局は、送受信機６１と、当該送受信機６１に接続する少なくとも１つのプロセッサ６２とを備える。
【００９４】
前記プロセッサ６２は、メモリ６３におけるプログラムを読み出して、前記送受信機６１により、ＵＥにより送信された第１プリコーディング指示情報及び第２プリコーディング指示情報を受信し、前記第１プリコーディング指示情報及び前記第２プリコーディング指示情報により、プリコーディングマトリックスを確定する。
【００９５】
ここで、前記第１プリコーディング指示情報は、第１レベルプリコーディングマトリックスに対応し、前記第１レベルプリコーディングマトリックスには異なる偏波方向のビームベクトルが含まれ、前記第２プリコーディング指示情報は、第２レベルプリコーディングマトリックスに対応し、前記第２レベルプリコーディングマトリックスは、第１レベルプリコーディングマトリックス中のそれぞれ偏波方向の全部ビームベクトルに対し、振幅値の重みつけ及び位相調整を行うことに用いられ、前記第１レベルプリコーディングマトリックス及び前記第２レベルプリコーディングマトリックスは、プリコーディングマトリックスの生成に用いられる。
【００９６】
図６において、バスアーキテクチャは、いずれ数の相互接続するバス及びブリッジを備える。具体的に、プロセッサ６２が代表となる１つまたは複数のプロセッサ及びメモリ６３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１は、複数の部品であることができ、即ち、送信機及び受信機を備え、伝送媒体を介して他の装置と通信するユニットを提供する。
【００９７】
プロセッサ６２は、バスアーキテクチャ及び通常の処理を監視し、メモリ６３は、プロセッサ６２が動作する際に利用するデータを記憶することができる。
【００９８】
実施の場合、前記プロセッサ６２は、第１レベルプリコーディングマトリックス集合から、前記第１プリコーディング指示情報に対応する第１レベルプリコーディングマトリックスを確定する。ここで、それぞれの第１プリコーディングマトリックスは、ブロック・ダイアゴナル・マトリックスであり、第１プリコーディングマトリックス中のそれぞれの非零サブマトリックスは、異なる偏波方向を示し、かつ、それぞれの非零サブマトリックスはＭ個のビームベクトルを含み、Ｍは整数である。
【００９９】
また、第２レベルプリコーディングマトリックス集合から、前記第２プリコーディング指示情報に対応する第２レベルプリコーディングマトリックスを確定する。
【０１００】
第１レベルプリコーディングマトリックスと第２レベルプリコーディングマトリックスの積を、前記プリコーディングマトリックスとする。
【０１０１】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１０２】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１０３】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１０４】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１０５】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１０６】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１０７】
本出願は、２０１５年８月２４日に中国特許局に提出し、出願番号が２０１５１０５２４８１９.２であり、発明名称が「コーディング指示情報の伝送及びプリコーディングマトリックス確定の方法と装置」との中国特許出願を基礎とする優先権を主張し、その開示の総てをここに取り込む。
【符号の説明】
【０１０８】
３１  確定モジュール
３２  送信モジュール
４１  受信モジュール
４２  処理モジュール
５１  送受信機
５２  プロセッサ
５３  メモリ
５４  ユーザーインターフェース
６１  送受信機
６２  プロセッサ
６３  メモリ
【図１】
0006553809.tif 000389
【図２】
0006553809.tif 000390
【図３】
0006553809.tif 000391
【図４】
0006553809.tif 000392
【図５】
0006553809.tif 000393
【図６】
0006553809.tif 000394